(57)【要約】【課題】清掃作業中にモップ本体を取付けて支持する取付部と、把持部との連結が外れることのないハンディモップを提供する。【解決手段】ハンディモップ１は一対のモップ本体部分２ａ，２ａを有するモップ本体２と、モップ本体部分２ａ，２ａの取付用隙間に挿入される一対の取付片１１，１１と挿入体１５とを有する取付部１０と、取付部１０の挿入体１５が挿入される挿入空間２２ａを形成する保持側面２２を有する把持部２０とを備えている。把持部２０の保持側面２２に側面開口２３が形成され、取付部１０の挿入体１５に側面開口２３に係合する側面突起１９が設けられている。把持部２０の保持側面２２に、挿入空間２２ａに挿入体１５が挿入される際、挿入体１５の側面突起１９により押圧されて湾曲するバネ領域２４が形成されている。【選択図】図３
2010268973.tif 000002
【特許請求の範囲】
【請求項１】
ハンディモップにおいて、
取付用隙間を有するモップ本体部分を含むモップ本体と、
モップ本体部分の取付用隙間に挿入される取付片と、挿入体とを有する取付部と、
取付部の挿入体が挿入される挿入空間を形成する保持側面を有するとともに取付部より硬度が高い把持部とを備え、
把持部の保持側面に側面開口が設けられ、
取付部の挿入体に、把持部の側面開口に係合する側面突起が設けられ、
把持部の保持側面に、バネ領域が形成され、このバネ領域は挿入体が挿入空間内に挿入される際、挿入体の側面突起により押圧されて湾曲することを特徴とするハンディモップ。
【請求項２】
取付部および把持部は細長状に形成され、把持部の保持側面に設けられた側面開口は、把持部の幅方向に延び、これによりバネ領域は保持側面のうち側面開口と保持側面の先端との間に形成されていることを特徴とする請求項１記載のハンディモップ。
【請求項３】
取付部の挿入体の幅は、把持部の挿入空間の幅より短くなっており、挿入体の側面突起によりバネ領域が押圧された場合、このバネ領域は挿入体によって規制されることなく幅方向に自由に湾曲できるようになっており、
取付部の挿入体の先端側側方に、把持部の挿入空間内面に当接する当接突起が設けられていることを特徴とする請求項２記載のハンディモップ。
【請求項４】
取付部の挿入体の基端側に基端突起が設けられ、把持部の挿入空間に基端突起が挿入される位置決め開口が設けられていることを特徴とする請求項１記載のハンディモップ。
【請求項５】
把持部はＰＰ製となっていることを特徴とする請求項１記載のハンディモップ。
【請求項６】
把持部のバネ領域は、縦方向長さが幅方向長さより短くなっていることを特徴とする請求項２記載のハンディモップ。
【請求項７】
取付部の各取付片に、外方へ突出してモップ本体部分の取付用隙間に係止する係止突片が設けられていることを特徴とする請求項１記載のハンディモップ。
【発明の詳細な説明】
【技術分野】
【０００１】
本発明は、モップ本体と取付部と把持部とを有し、室内や車内の清掃作業に用いられるハンディモップに係り、とりわけ清掃作業中にモップ本体を取付ける取付部から、把持部が外れることのないハンディモップに関する。
【背景技術】
【０００２】
従来よりハンディモップとして、使い捨てタイプのモップ本体と、モップ本体に連結されてこれを支持する取付部と、取付部に連結された把持部とを有するものが知られている（特許文献１）。このような従来のハンディモップは、室内や車内のうち、比較的複雑で狭い構造物内に挿入されて細かな清掃作業を行う場合に用いられる。
【０００３】
このように比較的複雑で狭い構造物内にハンディモップを挿入し、モップ本体を清掃対象に軽い力にて押し当てることにより清掃作業をスムーズに行うため、取付部を使用者の押圧によりしならせる必要がある。よってモップ本体を支持する取付部は比較的軟質の素材が要求される。
【０００４】
他方、取付部に連結された把持部は、使用者にしっかりと握られる必要があるため、比較的硬質の合成樹脂製となっており、ＰＰ等が使用されている。
【０００５】
しかしながら、軟質の取付部と、硬質の把持部とを連結した場合、一般に取付部と把持部との間の連結部分が外れ易くなり、清掃作業に支障が生じてしまう。
【先行技術文献】
【特許文献】
【０００６】
【特許文献１】特開２００７−１６７４２５号
【発明の概要】
【発明が解決しようとする課題】
【０００７】
本発明はこのような点を考慮してなされたものであり、清掃作業中にモップ本体を取付け支持する軟質の取付部から、取付部に連結された硬質の把持部が外れることのないハンディモップを提供することを目的とする。
【課題を解決するための手段】
【０００８】
本発明は、ハンディモップにおいて、取付用隙間を有するモップ本体部分を含むモップ本体と、モップ本体部分の取付用隙間に挿入される取付片と、挿入体とを有する取付部と、取付部の挿入体が挿入される挿入空間を形成する保持側面を有するとともに取付部より硬度が高い把持部とを備え、把持部の保持側面に側面開口が設けられ、取付部の挿入体に、把持部の側面開口に係合する側面突起が設けられ、把持部の保持側面に、バネ領域が形成され、このバネ領域は挿入体が挿入空間内に挿入される際、挿入体の側面突起により押圧されて湾曲することを特徴とするハンディモップである。
【０００９】
本発明は、取付部および把持部は細長状に形成され、把持部の保持側面に設けられた側面開口は、把持部の幅方向に延び、これによりバネ領域は保持側面のうち側面開口と保持側面の先端との間に形成されていることを特徴とするハンディモップである。
【００１０】
本発明は、取付部の挿入体の幅は、把持部の挿入空間の幅より短くなっており、挿入体の側面突起によりバネ領域が押圧された場合、このバネ領域は挿入体によって規制されることなく幅方向に自由に湾曲できるようになっており、取付部の挿入体の先端側側方に、把持部の挿入空間内面に当接する当接突起が設けられていることを特徴とするハンディモップである。
【００１１】
本発明は、取付部の挿入体の基端側に基端突起が設けられ、把持部の挿入空間に基端突起が挿入される位置決め開口が設けられていることを特徴とするハンディモップである。
【００１２】
本発明は、把持部はＰＰ製となっていることを特徴とするハンディモップである。
【００１３】
本発明は、把持部のバネ領域は、縦方向長さが幅方向長さより短くなっていることを特徴とするハンディモップである。
【００１４】
本発明は、取付部の各取付片に、外方へ突出してモップ本体部分の取付用隙間に係止する係止突片が設けられていることを特徴とするハンディモップである。
【発明の効果】
【００１５】
以上のように本発明によれば、ハンディモップを使用して清掃作業を行う際、モップ本体を取付けて支持する軟質の取付部から、硬質の把持部が外れることはない。
【図面の簡単な説明】
【００１６】
【図１】図１は本発明によるハンディモップを示す全体平面図。
【図２】図２（ａ）は取付部と把持部を示す分解平面図、図２（ｂ）は取付部の基端部を示す拡大図。
【図３】図３は取付部と把持部を示す分解裏面図。
【図４】図４は取付部を示す側面図。
【図５】図５は把持部を示す側面図。
【図６】図６（ａ）は把持部の先端部を示す拡大図、図６（ｂ）は図６（ａ）のＢ線方向矢視図。
【発明を実施するための形態】
【００１７】
以下、図面を参照して本発明の実施の形態について説明する。
【００１８】
図１乃至図６は、本発明によるハンディモップの一実施の形態を示す図である。
【００１９】
図１および図２（ａ）（ｂ）に示すように、ハンディモップ１は各々が取付用隙間３を有する一対のモップ本体部分２ａ，２ａを含むモップ本体２と、先端側に設けられモップ本体部分２ａ，２ａの取付用隙間３に挿入される一対の取付片１１と、基端側に設けられた挿入体１５とを有する合成樹脂製軟質材料、例えばエラストマ製の細長状取付部１０と、先端側に設けられ取付部１０の挿入体１５が挿入される挿入空間２２ａを形成する保持側面２２と、把持部本体２１とを有するとともに取付部１０の材料より硬質の合成樹脂製硬質材料、例えばＰＰ製の細長状把持部２０とを備えている。
【００２０】
この場合、モップ本体１０を清掃対象に軽い力にて押し当てることにより清掃作業をスムーズに行うため、取付部１０は使用者の押圧によりしならせることができる軟質材料からなっている。
【００２１】
一方、把持部２０は使用者によりしっかりと握られる必要があるため、硬質材料からなっている。
【００２２】
このうちモップ本体１は、上述のように一対のモップ本体部分２ａ，２ａを有し、各モップ本体部分２ａ，２ａはいずれも不織布４を張り合わせてなり、貼り合わされた不織布４内に取付用隙間３が形成されている。
【００２３】
また各モップ本体部分２ａ，２ａは不織布４の表面側および裏面側に清掃機能を有する細かな不織布からなるモップ部５が設けられ、このモップ部５により清掃が行われる。
【００２４】
また各モップ本体部分２ａ，２ａの不織布４は、互いの基端側で接着され、各モップ本体部分２ａ，２ａの先端側は接着されておらず、各モップ本体部分２ａ，２ａの間に清掃用隙間７が形成されている。そして各モップ本体部分２ａ，２ａのモップ部５により、室内および車内の構造物が清掃され、さらにこの構造物を清掃用隙間７内に挿入することにより、細かな構造物も確実に清掃することができる。
【００２５】
また図１、図２（ａ）（ｂ）、図３、図４、図５および図６（ａ）（ｂ）に示すように、取付部１０は各モップ本体部分２ａ，２ａの取付用隙間３，３内に挿入される一対の取付片１１，１１と、一対の取付片１１，１１に連結された挿入体１５とを有し、このうち一対の取付片１１，１１は先端側に位置し、挿入体１５は基端側に位置している。取付部１０はモップ本体２を保持するとともに、モップ本体２を構造物の形状に合わせて変形させることができるよう、全体として軟質のエラストマから成形されている。とりわけ取付部１０の各一対の取付片１１，１１はモップ本体２が構造物の形状に合わせて変形できるよう、柔軟性を有している。このような取付部１０を構成する軟質のエラストマとしては、オレフィン系熱可塑性エラストマが用いられ、具体的にはオレフィン系熱可塑性エラストマとして三菱化学株式会社製のゼラス（登録商標）を用いることができる。
【００２６】
また各一対の取付片１１，１１には、外方へ突出して各モップ本体部分２ａ，２ａの取付用隙間３，３に係止する半円板状の係止突片１２，１２が設けられている。
【００２７】
また後述のように取付部１０の基端側に設けられた挿入体１５が、把持部２０の挿入空間２２ａ内に挿入されて、取付部１０と把持部２０とが堅固に連結される。また取付部１０の挿入体１５の一方の面には、挿入体１５が把持部２０の挿入空間２２ａ内に挿入される際、把持部２０のカバー２５の側縁２５ａと摺動して挿入体１５を案内する案内片１６が設けられ、この案内片１６の表面は一対の取付片１１，１１の表面に略一致している。
【００２８】
また把持部２０の先端側には、前述のように取付部１０の挿入体１５が挿入される挿入空間２２ａが形成されており、この挿入空間２２ａは挿入体１５を保持する保持側面２２と、保持側面２２の両側縁に湾曲して設けられた一対のカバー２５とにより形成されている（図６（ａ）（ｂ））。
【００２９】
また図３に示すように、把持部２０の保持側面２２には側面開口２３が設けられ、取付部１０の挿入体１５に把持部２０の側面開口２３に係合する側面突起１９が設けられている。この場合、把持部２０の保持側面２２に設けられた側面開口２３は把持部２０の幅方向Ｌ２に沿って延びて、保持側面２２のうち側面開口２３と保持側面２２の先端２２ｂとの間にバネ領域２４が形成されている。
【００３０】
把持部２０は作業者がハンディモップ１を使用する際把持する部分であり、取付部１０に比較して比較的硬質の材料（ＰＰ製）からなっている。そして保持側面２２のうち側面開口２３と先端２２ｂとの間にバネ領域２４を形成することにより、取付部１０の挿入体１５を把持部２０の挿入空間２２ａ内に挿入する際、挿入体１５の側面突起１９がバネ領域２４内面に当接してバネ領域２４が把持部２０の幅方向Ｌ２に沿って湾曲できるようになっている。
【００３１】
この場合、保持側面２２のバネ領域２４は、側面開口２３から先端２２ｂまでの縦方向Ｌ１の長さｌ１をもち、側面開口２３の幅長と同一長さの幅方向Ｌ２の長さｌ２をもつ。そしてバネ領域２４の縦方向Ｌ１の長さｌ１は幅方向Ｌ２の長さｌ２より短くなって、バネ領域２４が幅方向Ｌ２に沿って確実に湾曲できるようになっている。
【００３２】
さらに取付部１０の挿入体１５の幅Ｌ３は、把持部２０の挿入空間２２ａの幅Ｌ４より狭くなっている（図３および図６（ａ）（ｂ））。取付部１０の挿入体１５を把持部２０の挿入空間２２ａ内に挿入する際、挿入体１５の側面突起１９がバネ領域２４内面に当接する。このとき、挿入体１５の幅Ｌ３が挿入空間２２ａの幅Ｌ４より狭くなっているため、バネ領域２４が幅方向Ｌ２に沿って湾曲する際、このバネ領域２４の湾曲作用が挿入体１５によって規制されることはない。
【００３３】
このように、取付部１０の挿入体１５を把持部２０の挿入空間２２ａ内に挿入する際、挿入体１５の側面突起１９がバネ領域２４内面に当接してバネ領域２４が幅方向Ｌ２に沿って湾曲するため、挿入体１５の側面突起１９の突出高さを可能な限り高くすることができ（例えば従来製品に比べて０．１〜１．０ｍｍより高くすることができ）、このことにより、挿入体１５の側面突起１９を把持部２０の側面開口２３内に堅固に係合させることができる。
【００３４】
また図２（ａ）（ｂ）に示すように、取付部１０の挿入体１５の先端側側方に、把持部２０の挿入空間２２ａ内面に当接する一対の当接突起１７，１７が設けられている。すなわち、前述のように取付部１０の挿入体１５の幅Ｌ３は、把持部２０の挿入空間２２ａの幅Ｌ４より狭くなっており、取付部１０の挿入体１５を把持部２０の挿入空間２２ａ内に挿入する際、挿入体１５と挿入空間２２ａとの間には隙間が生じる。しかしながら、挿入体１５を挿入空間２２ａ内に完全に挿入した状態では、取付部１０の挿入体１５の一対の当接突起１７，１７が、把持部２０の挿入空間２２ａ内面に当接するため、挿入体１５を挿入空間２２ａ内に堅固に挿着して、取付部１０と把持部２０とを堅固に連結することができる。
【００３５】
また取付部１０の挿入体１５の基端側に基端突起１８が設けられ、把持部２０の挿入空間２２ａに基端突起１８が挿入されて、とりわけ幅方向Ｌ２の位置決めを行う位置決め開口２６が設けられている。
【００３６】
次にこのような構成からなる本実施の形態の作用について説明する。
【００３７】
まず、取付部１０と把持部２０とを連結する。この場合、取付部１０の挿入体１５を把持部２０の挿入空間２２ａ内に挿入する。この際、挿入体１５の側面突起１９が挿入体１５から可能な限り高く突出しているため、この側面突起１９が把持部２０の保持側面２２のうちとりわけバネ領域２４内面に当接する。バネ領域２４はその縦方向Ｌ１の長さｌ１に比べて幅方向Ｌ２の長さｌ２が大きくなっているため、側面突起１９がバネ領域２４の内面に当接した際、バネ領域２４は幅方向Ｌ２に沿ってスムーズに湾曲することができる。また挿入体１５の幅Ｌ３は、挿入空間２２ａの幅Ｌ４より短くなっているので、挿入体１５がバネ領域２４の湾曲作用に支障を及ぼすことはない。
【００３８】
次に取付部１０と把持部２０の連結作用について更に説明する。すなわち把持部２０の保持側面２２には把持部２０の幅方向Ｌ２に沿って延びる比較的大きな側面開口２３が設けられ、この側面開口２３によって保持側面２２には側面開口２３と保持側面２２の先端２２ｂとの間にバネ領域２４が形成されている。この場合、側面開口２３は幅方向Ｌ２に沿って大きく延びるため、バネ領域２４の縦方向Ｌ１の長さｌ１に比べて幅方向Ｌ２の長さｌ２が大きくなり、バネ領域２４は幅方向Ｌ２に向かって変形しやすくなっている。
【００３９】
また上述のように挿入体１５の幅Ｌ３は、挿入空間２２ａの幅Ｌ４より短くなっている。このため取付部１０の挿入体１５を把持部２０の挿入空間２２ａ内に挿入する際、まず挿入体１５の側面突起１９（従来製品に比べて高く突出している）が保持側面２２のバネ領域２４に当接してこのバネ領域２４を押圧する。このとき、バネ領域２４が幅方向Ｌ２に沿って湾曲し、挿入空間２２ａの幅Ｌ４が収縮するが、挿入体１５の幅Ｌ３が挿入空間のＬ４より短くなっているため、バネ領域２４が湾曲してもこのバネ領域２４の湾曲作用が挿入体１５によって規制されることはない。このように挿入体１５の幅Ｌ３は挿入空間２２ａの幅Ｌ４より短くなっており、かつバネ領域２４の湾曲作用が挿入体１５によって規制されないため、挿入体１５を挿入空間２２ａ内にスムーズに挿入することができる。
【００４０】
このように取付部１０の挿入体１５が把持部２０の挿入空間２２ａ内に挿入され、挿入体１５が挿入空間２２ａ内に完全に挿入されると、挿入体１５の一対の当接突起１７，１７が挿入空間２２ａ内面に当接する。このため挿入体１５を挿入空間２２ａ内に確実に挿着することができ、取付部１０と把持部２０とを堅固に連結することができる。同時に挿入体１５の基端突起１８が挿入空間２２ａの位置決め開口２６内に挿入されて、挿入体１５の幅方向Ｌ２の位置決めが行われる。
【００４１】
このように挿入体１５が挿入空間２２ａ内に完全に挿入されると、挿入体１５の側面突起１９が把持部２０の側面開口２３に係合する。この場合、挿入体１５の側面突起１９は従来製品に比べてより高く突出しているため、挿入体１５の側面突起１９は把持部２０の側面開口２３から外れにくくなっている。また上述のように、挿入体１５の一対の当接突起１７，１７が挿入空間２２ａ内面に当接するため、挿入体１５が挿入空間２２ａ内で幅方向Ｌ２に沿ってがたつくことはない。さらに挿入体１５の基端突起１８が挿入空間２２ａの位置決め開口２６内に挿入されるため、上述のように挿入空間２２ａ内において挿入体１５を幅方向Ｌ２に対して正しい位置に位置決めすることができる。
【００４２】
次に取付部１０の各取付片１１，１１がモップ本体２の対応するモップ本体部分２ａ，２ａに設けられた取付用隙間３内に挿入されて、モップ本体２が取付部１０に連結される。このようにして、ハンディモップ１が得られる。
【００４３】
ハンディモップ１の使用にあたっては、把持部２０の把持部本体２１が把持され、室内および車内の構造物に対してモップ本体２を当てながらこれらの構造物に対する清掃が行われる。
【００４４】
モップ本体２の各モップ本体部分２ａ，２ａは、その表面および裏面にモップ部５が設けられているため、構造物に対して容易かつ確実に清掃作業を行うことができる。
【００４５】
また構造物が細長のものであったり、薄型のものの場合、モップ本体２の清掃用隙間７に構造物を挿入して構造物を確実に清掃することができる。
【００４６】
ところで、上述のように、取付部１０の側面突起１９を挿入体１５から大きく突出させ、例えば従来製品に比べて０．１〜１．０ｍｍより高くすることができる。このためハンディモップを使用した清掃作業中に把持部２０から取付部１０に対して大きな力が加わったとしても、挿入体１５の側面突起１９が保持側面２２の側面開口２３から抜け出すことはなく、取付部１０の挿入体１５を把持部２０の挿入空間２２ａ内に確実に挿着することができ、軟質の取付部１０から硬質の把持部２０が外れてしまうことはない。
【００４７】
以上のように、本実施の形態によれば、取付部１０に対して把持部２０を連結するために挿入体１５を挿入空間２２ａ内に挿入する場合、取付部１０の側面突起１９が把持部２０のバネ領域２４内面に当接する。この場合、バネ領域２４が幅方向Ｌ２に沿って湾曲するため、挿入体１５をスムーズに挿入空間２２ａ内に挿入することができ、同時に側面突起１９を側面開口２３内に係合させて、挿入体１５を挿入空間２２ａ内で堅固に保持することができる。このためハンディモップ１を使用して清掃作業を行う際、把持部２０を把持して把持部２０から取付部１０に対して大きな力を加えても、硬質の把持部２０が軟質の取付部１０から外れてしまうことはない。
【００４８】
なお、上記実施の形態において、モップ本体２が一対のモップ本体部分２ａ，２ａを有する例を示したが、これに限らずモップ本体２は単一のモップ本体部分２ａのみを有してもよい。
【００４９】
また挿入体１５の両側に一対の当接突起１７，１７を設けた例を示したが、これに限らず挿入体１５の一側のみに挿入空間２２ａ内面に当接する当接突起１７を設けてもよい。
【符号の説明】
【００５０】
１  ハンディモップ
２  モップ本体
２ａ，２ａ  モップ本体部分
３  取付用隙間
１０  取付部
１１，１１  取付片
１２  係止突片
１５  挿入体
１６  案内片
１７  当接突起
１８  基端突起
１９  側面突起
２０  把持部
２１  把持部本体
２２  保持側面
２２ａ  挿入空間
２３  側面開口
２４  バネ領域
２５  カバー
２６  位置決め開口
【図１】
2010268973.tif 000003
【図２】
2010268973.tif 000004
【図３】
2010268973.tif 000005
【図４】
2010268973.tif 000006
【図５】
2010268973.tif 000007
【図６】
2010268973.tif 000008